(57)【要約】【課題】携帯型デジタル放送受信端末がデジタル放送信号の電界強度が弱い場所や、不安定な受信環境にある間、またはバッテリー残量がなくなった場合に、それまで視聴していた番組が継続視聴不能になったときも、後でその番組を視聴することができるデジタル放送システムを提供することを目的とする。【解決手段】携帯型デジタル放送受信端末から固定型デジタル放送受信端末にその番組を蓄積部３０５に記録させる指示を出し、固定型デジタル放送受信端末にてその番組を視聴できる。【選択図】  図１
2005012643.tif 000002
【特許請求の範囲】
【請求項１】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記携帯型デジタル放送受信端末にて番組を視聴中に、視聴者の操作に基づいて、前記携帯型デジタル放送受信端末から前記固定型デジタル放送受信端末に対して、同じ番組を記録するよう前記通信網を介して指示を出し、指示を受けた前記固定型デジタル放送受信端末が指定された番組を記録することを特徴とする、デジタル放送システム。
【請求項２】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記携帯型デジタル放送受信端末にて視聴中の番組が継続視聴不能になったことを検知した時、前記携帯型デジタル放送受信端末から前記固定型デジタル放送受信端末に対して、同じ番組を記録するよう前記通信網を介して指示を出し、指示を受けた前記固定型デジタル放送受信端末が指定された番組を記録することを特徴とする、デジタル放送システム。
【請求項３】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記携帯型デジタル放送受信端末にて一定時間以上同じ番組を視聴していることを検知した時、前記携帯型デジタル放送受信端末から前記固定型デジタル放送受信端末に対して、同じ番組を記録するよう前記通信網を介して指示を出し、指示を受けた前記固定型デジタル放送受信端末が指定された番組を記録することを特徴とする、デジタル放送システム。
【請求項４】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記携帯型デジタル放送受信端末にて視聴中の番組が終了する前にバッテリーがなくなると検知した時、前記携帯型デジタル放送受信端末から前記固定型デジタル放送受信端末に対して、同じ番組を記録するよう前記通信網を介して指示を出し、指示を受けた前記固定型デジタル放送受信端末が指定された番組を記録することを特徴とする、デジタル放送システム。
【請求項５】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記固定型デジタル放送受信端末が、前記携帯型デジタル放送受信端末の指示で番組を記録している場合、前記携帯型デジタル放送受信端末にて視聴中の番組が変わったことを検知した時、前記携帯型デジタル放送受信端末から前記固定型デジタル放送受信端末に対して、記録する番組を変更するよう前記通信網を介して指示を出し、指示を受けた前記固定型デジタル放送受信端末が指定された番組を記録することを特徴とする、デジタル放送システム。
【請求項６】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記固定型デジタル放送受信端末が前記携帯型デジタル放送受信端末の指示で番組を記録している場合、前記携帯型デジタル放送受信端末にて視聴中の番組が変わったことを検知したとしても、一定時間以上視聴しなければ、前記携帯型デジタル放送受信端末から前記固定型デジタル放送受信端末に対して、記録する番組を変更するよう前記通信網を介して指示を出さないことを特徴とする、デジタル放送システム。
【請求項７】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記固定型デジタル放送受信端末が前記携帯型デジタル放送受信端末の指示で番組を録画している場合、前記携帯型デジタル放送受信端末にて視聴中の番組が終了したことを検知した時、前記携帯型デジタル放送受信端末から前記固定型デジタル放送受信端末に対して、番組の記録を停止するよう前記通信網を介して指示を出し、指示を受けた前記固定型デジタル放送受信端末が番組の記録を停止することを特徴とする、デジタル放送システム。
【請求項８】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記固定型デジタル放送受信端末が前記携帯型デジタル放送受信端末の指示で番組を記録している場合、前記携帯型デジタル放送受信端末にて視聴中の番組を最後まで視聴したことを検知した時、前記携帯型デジタル放送受信端末から前記固定型デジタル放送受信端末に対して、記録していた番組を消去するよう前記通信網を介して指示を出し、指示を受けた前記固定型デジタル放送受信端末が指定された番組を蓄積部から消去することを特徴とする、デジタル放送システム。
【請求項９】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記固定型デジタル放送受信端末が前記携帯型デジタル放送受信端末の指示で番組を記録している場合、前記携帯型デジタル放送受信端末にて視聴中の番組を最後まで視聴したことを検知したとしても、番組の途中で継続視聴不能になった時間があるときは、前記携帯型デジタル放送受信端末から前記固定型デジタル放送受信端末に対して、記録していた番組を消去するよう前記通信網を介して指示を出さないことを特徴とする、デジタル放送システム。
【請求項１０】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記固定型デジタル放送受信端末が前記携帯型デジタル放送受信端末の指示で番組を記録している場合、視聴者の操作に基づいて前記携帯型デジタル放送受信端末から前記固定型デジタル放送受信端末に対して、記録した番組を送信するよう前記通信網を介して指示を出し、指示を受けた前記固定型デジタル放送受信端末が指定された番組を蓄積部から前記通信網を介して前記携帯型デジタル放送端末に送信し、前記携帯型デジタル放送受信端末にて送信された番組を視聴できることを特徴とする、デジタル放送システム。
【請求項１１】
デジタル放送受信部、映像表示部、音声出力部、制御部、入力部、通信部を有する携帯型デジタル放送受信端末と、デジタル放送受信部、映像表示部、音声出力部、制御部、蓄積部、通信部を有する固定型デジタル放送受信端末と、前記携帯型デジタル放送受信端末と前記固定型デジタル放送受信端末間の通信網から成るデジタル放送システムにおいて、
前記固定型デジタル放送受信端末が前記携帯型デジタル放送受信端末の指示で番組を記録している場合、前記携帯型デジタル放送受信端末にて視聴中の番組が継続視聴不能になったことを検知した時、前記携帯型デジタル放送受信端末から前記固定型デジタル放送受信端末に対して、記録している同じ番組を送信するよう前記通信網を介して指示を出し、指示を受けた前記固定型デジタル放送受信端末が指定された番組を蓄積部から前記通信網を介して前記携帯型デジタル放送端末に送信し、前記携帯型デジタル放送受信端末にて送信された番組を視聴できることを特徴とする、デジタル放送システム。
【発明の詳細な説明】
【０００１】
【発明の属する技術分野】
本発明は、デジタル放送システムに関する。
【０００２】
【従来の技術】
図２は、携帯型デジタル受信端末から現在視聴中の番組を記録するよう指示を出す通信手段のない、従来のデジタル放送システムの構成図である（例えば特許文献１参照。）。
【０００３】
図２において、１００は携帯型デジタル放送受信端末、１０１はデジタル放送受信部、１０２は映像表示部、１０３は音声出力部、１０４は制御部、１０５は入力部、１０６はバッテリー部である。
【０００４】
以上のように構成された従来のデジタル放送システムについて、以下にその動作を説明する。
【０００５】
携帯型デジタル放送受信端末１００は、デジタル放送信号をデジタル放送受信部１０１で受信、復調、エラー訂正、トランスポートデコード、映像・音声デコード処理をし、映像出力部１０２から映像を、音声出力部１０３から音声を出力し、番組を視聴することができる。だが、デジタル放送信号の電界強度が弱い場所や、不安定な受信環境に移動したとき、受信レベル低下、Ｃ／Ｎ低下、復調エラーの増大、映像・音声デコードエラーの増大などが発生し、それまで視聴していた番組が継続視聴不能になる。また、携帯型デジタル放送端末のバッテリー部１０６の残量がなくなった場合も、それまで視聴していた番組が継続視聴不能になる。制御部１０４は受信レベル低下、Ｃ／Ｎ低下、復調エラーの増大、映像・音声デコードエラーの増大などがある閾値を超えたこと、またはバッテリー残量がなくなったことで継続視聴不能になったと判断できたとしても、その情報をどこかに通知する通信手段がない。
【０００６】
【特許文献１】
特開２００１−１６８７４３号公報
【０００７】
【発明が解決しようとする課題】
このため、上記従来のデジタル放送システムにおいては、携帯型デジタル放送受信端末が電界強度の弱い場所や、不安定な受信環境にある間、またはバッテリー残量がなくなった場合に、それまで視聴していた番組が継続視聴不能になるという課題を有していた。
【０００８】
【課題を解決するための手段】
上記問題を解決するために本発明は、現在視聴中の番組が継続視聴不能になったことを検知する制御部と、番組を特定する情報を通信網を介して自宅などにある固定型デジタル放送受信端末へ送信する通信手段を携帯型デジタル放送受信端末が有し、番組を特定する情報を受信する通信手段と、その番組を記録する蓄積手段を固定型デジタル放送受信端末が有することを特徴とする。
【０００９】
以上により、携帯型デジタル放送受信端末がデジタル放送信号の電界強度が弱い場所や、不安定な受信環境にある間、またはバッテリー残量がなくなった場合に、それまで視聴していた番組が継続視聴不能になったときも、後でその番組を視聴することができる。
【００１０】
【発明の実施の形態】
上記問題を解決するため本発明は、現在視聴中の番組が継続視聴不能になったことを検知する制御部と、番組を特定する情報と記録の指示を通信網を介して自宅などにある固定型デジタル放送受信端末へ送信する通信手段を携帯型デジタル放送受信端末が有し、番組を特定する情報と記録の指示を受信する通信手段と、その番組を記録する蓄積手段を固定型デジタル放送受信端末が有し、携帯型デジタル放送受信端末がデジタル放送信号の電界強度が弱い場所や、不安定な受信環境にある間、またはバッテリー残量がなくなった場合に、それまで視聴していた番組が継続視聴不能になった場合も、後でその番組を視聴できるという作用を有する。
【００１１】
以下、本発明の実施の形態について、図１を用いて説明する。
【００１２】
（実施の形態１）
図１は、本発明の実施の形態１〜６に共通なデジタル放送システムのブロック図である。
【００１３】
図１において、１００は携帯型デジタル放送受信端末、１０１はデジタル放送受信部、１０２は映像表示部、１０３は音声出力部、１０４は制御部、１０５は入力部、１０６はバッテリー部、１０７は通信部、２００は通信網、３００は固定型デジタル放送受信端末、３０１はデジタル放送受信部、３０２は映像表示部、３０３は音声出力部、３０４は制御部、３０５は蓄積部、３０６は通信部である。
【００１４】
以上のように構成されたデジタル放送システムについて、以下に本発明の実施の形態１〜６に共通な動作を説明する。
【００１５】
携帯型デジタル放送受信端末１００は、安定した受信環境ではデジタル放送信号をデジタル放送受信部１０１で受信、復調、エラー訂正、トランスポートデコード、映像・音声デコード処理をし、映像出力部１０２から映像を、音声出力部１０３から音声を出力し、番組を視聴することができる。だが、デジタル放送信号の電界強度が弱い場所や、不安定な受信環境に移動したとき、受信レベル低下、Ｃ／Ｎ低下、復調エラーの増大、映像・音声デコードエラーの増大などが発生し、それまで視聴していた番組が継続視聴不能になる。携帯型デジタル放送受信端末１００のバッテリー部１０６の残量がなくなった場合も、同様に継続視聴不能になる。
【００１６】
携帯型デジタル放送受信端末１００の制御部１０４が現在視聴中の番組を継続視聴させる必要があると判断したら、その番組を特定する情報をデジタル放送受信部１０１から受け取る。前記番組を特定する情報とは、例えばデジタル放送ではネットワークＩＤ、トランスポートストリームＩＤ、サービスＩＤ、イベントＩＤ、番組開始時間、番組継続時間のうち、ひとつあるいは複数の情報の組合せである。さらに通信部１０７は番組を特定する情報と記録の指示を制御部１０４から受け取り、通信網２００を介して自宅などにある固定型デジタル放送受信端末３００へ送信する。前記通信網とは、例えば電話回線、インターネット回線、ＣＡＴＶ回線などであり、その通信網は有線、無線、もしくはそれらが混在する場合がある。固定型デジタル放送受信端末３００では、通信部３０６で受信した番組を特定する情報と記録の指示を制御部３０４が受け取る。制御部３０４はデジタル放送受信部３０１にこの番組の選局を指示し、同時に蓄積部３０５にこの番組の記録を指示する。前記蓄積部３０５とは、例えば固定型デジタル放送受信端末３００に内蔵されたハードディスクやメモリなどの記録装置、固定型デジタル放送受信端末３００から着脱可能なディスクやメモリーカードなどの記録媒体、固定型デジタル放送受信端末３００の外部に接続された録画機器などである。
【００１７】
そして、視聴者が帰宅したときなどに、固定型デジタル放送受信端末３００にて蓄積部３０５に記録された番組を読み出し、デジタル放送受信部３０１で処理し、映像出力部３０２から映像を、音声出力部３０３から音声を出力し、記録された番組を視聴することができる。
【００１８】
以上が本発明の実施の形態１〜６に共通な動作である。
【００１９】
実施の形態１では、上記の共通動作において、携帯型デジタル放送受信端末１００の制御部１０４は、視聴者の入力部１０５からの操作によって、現在視聴中の番組を継続視聴させる必要があると判断する。
【００２０】
以上のように本発明の実施の形態によれば、携帯型デジタル放送受信端末にて、それまで視聴していた番組が継続視聴不能になる前に、視聴者が自宅などにある固定型デジタル放送受信端末にその番組を記録させる指示を出し、後で固定型デジタル放送受信端末にてその番組を視聴できる。
【００２１】
（実施の形態２）
実施の形態２では、実施の形態１に記載の共通動作において、携帯型デジタル放送受信端末１００の制御部１０４は、受信レベル、Ｃ／Ｎ、復調エラー率、映像・音声デコードエラー率などを数値としてデジタル放送受信部１０１から受け取り、デジタル放送信号の電界強度が弱い場所や、不安定な受信環境に移動したときに、それらの数値がある閾値を超えた、または下回ったことで、継続視聴不能になったため現在視聴中の番組を継続視聴させる必要があると判断する。
【００２２】
以上のように本発明の実施の形態によれば、携帯型デジタル放送受信端末がデジタル放送信号の電界強度が弱い場所や、不安定な受信環境に移動したとき、それまで視聴していた番組が継続視聴不能になった場合も、視聴者の操作を介さずに自宅などにある固定型デジタル放送受信端末にその番組を記録させる指示を出すことができ、後で固定型デジタル放送受信端末にてその番組を視聴できる。
【００２３】
（実施の形態３）
実施の形態３では、実施の形態１に記載の共通動作において、携帯型デジタル放送受信端末１００の制御部１０４は、一定時間以上同じ番組を視聴していると検知したとき、現在視聴中の番組を継続視聴させる必要があると判断する。
【００２４】
以上のように本発明の実施の形態によれば、携帯型デジタル放送受信端末にて、一定時間以上視聴していた番組が継続視聴不能になる前に、視聴者の操作を介さずに自宅などにある固定型デジタル放送受信端末にその番組を記録させる指示を出すことができ、後で固定型デジタル放送受信端末にてその番組を視聴できる。
【００２５】
（実施の形態４）
実施の形態４では、実施の形態１に記載の共通動作において、携帯型デジタル放送受信端末１００の制御部１０４は、デジタル放送受信部１０１から受け取った現在視聴中の番組の残り時間と、バッテリー部から受け取ったバッテリー残量の数値より算出した残りの動作時間とを比較し、残り動作時間が番組の残り時間を下回る場合、現在視聴中の番組を継続視聴させる必要があると判断する。
【００２６】
以上のように本発明の実施の形態によれば、携帯型デジタル放送受信端末にて視聴していた番組を最後まで視聴するだけのバッテリー残量がない場合に、視聴者の操作を介さずに自宅などにある固定型デジタル放送受信端末にその番組を記録させる指示を出すことができ、後で固定型デジタル放送受信端末にてその番組を視聴できる。
【００２７】
（実施の形態５）
実施の形態５は、実施の形態１に記載の共通動作において、実施の形態１〜４に記載の方法により、携帯型デジタル放送受信端末１００の制御部１０４が現在視聴中の番組を継続視聴させる必要があると判断して、固定型デジタル放送受信端末３００にて番組を記録させている場合の動作である。
【００２８】
携帯型デジタル放送受信端末１００にて入力部１０５による視聴者のチャンネル操作などにより視聴中の番組が変わったことを制御部１０４が検知したときは、制御部１０４はその変更後の番組を特定する情報をデジタル放送受信部１０１から受け取り、通信部１０７から通信網２００を介して自宅などにある固定型デジタル放送受信端末３００へ送信する。固定型デジタル放送受信端末３００では、通信部３０６で受信した変更後の番組を特定する情報を制御部３０４が受け取り、デジタル放送受信部３０１に変更後の番組に選局しなおすよう指示する。
【００２９】
また、携帯型デジタル放送端末の視聴者が単に見たい番組を探しているときなどは、上記の番組変更が頻繁に発生するため、視聴中の番組が変わったことを制御部１０４が検知したとしても、一定時間以上視聴しなければ、本当に視聴中の番組が変わったと判断せず、固定型デジタル放送受信端末３００に対しても記録番組変更の指示を出さない、
以上のように本発明の実施の形態によれば、携帯型デジタル放送受信端末にて視聴中の番組が変わった場合には、視聴者の操作を介さず自宅などにある固定型デジタル放送受信端末に変更後の番組を記録させる指示を出すことができ、後で固定型デジタル放送受信端末にて変更後の番組を視聴できる。
【００３０】
（実施の形態６）
実施の形態６は、実施の形態１に記載の共通動作において、実施の形態１〜４に記載の方法により、携帯型デジタル放送受信端末１００の制御部１０４が現在視聴中の番組を継続視聴させる必要があると判断して、固定型デジタル放送受信端末３００にて番組を記録させ、記録が終了した場合、または記録中の動作である。
【００３１】
携帯型デジタル放送受信端末１００において、視聴者の入力部１０５からの操作により、制御部１０４は固定型デジタル放送受信端末３００に記録を指示した番組を特定する情報と記録番組送信の指示を、送信部１０７から通信網２００を介して自宅などにある固定型デジタル放送受信端末３００へ送信する。固定型デジタル放送受信端末３００では、通信部３０６で受信した番組を特定する情報と記録番組送信の指示を制御部３０４が受け取る。制御部３０４は蓄積部３０５から指定された番組を読み出し、通信部３０６へ送る。通信部３０６は指定された番組を、通信網２００を介して携帯型デジタル放送受信端末１００へ送信する。
【００３２】
携帯型デジタル放送受信端末１００では、通信部１０７で受信した番組をデジタル放送受信部１０１で処理し、映像出力部１０２から映像を、音声出力部１０３から音声を出力し、自宅などにある固定型デジタル放送受信端末に記録された、または記録中の番組を視聴することができる。
【００３３】
また、視聴者の入力部１０５からの操作ではなく、デジタル放送受信部１０１からの情報により受信レベル低下、Ｃ／Ｎ低下、復調エラーの増大、映像・音声デコードエラーの増大などがある閾値を超えたことで固定型デジタル放送受信端末３００に記録させている番組が継続視聴不能になったと、制御部１０４が検知した場合は、視聴者の操作を介さず同様の動作ができる。
【００３４】
以上のように本発明の実施の形態によれば、携帯型デジタル放送受信端末の視聴者の操作にて、もしくは視聴中の番組が継続視聴不能になったことを検知した場合は視聴者の操作を介さずに、自宅などにある固定型デジタル放送受信端末に記録させていた番組を、通信網を介して携帯型デジタル放送受信端末で視聴することができる。
【００３５】
【発明の効果】
以上のように本発明は、携帯型デジタル放送受信端末がデジタル放送信号の電界強度が弱い場所や、不安定な受信環境にある間、またはバッテリー残量がなくなった場合に、それまで視聴していた番組が継続視聴不能になったときも、後でその番組を視聴することができるという効果が得られる。
【図面の簡単な説明】
【図１】本発明の実施の形態１、２、３、４、５、６におけるデジタル放送システムの構成を示すブロック図
【図２】従来のデジタル放送システムの構成を示すブロック図
【符号の説明】
１００  携帯型デジタル放送受信端末
１０１  デジタル放送受信部
１０２  映像表示部
１０３  音声出力部
１０４  制御部
１０５  入力部
１０６  バッテリー部
１０７  通信部
２００  通信網
３００  固定型デジタル放送受信端末
３０１  デジタル放送受信部
３０２  映像表示部
３０３  音声出力部
３０４  制御部
３０５  蓄積部
３０６  通信部
【図１】
2005012643.tif 000003
【図２】
2005012643.tif 000004